(57)【要約】【課題】新築の住宅の床下換気口の施工及び、既存の換気口金物の補修のいずれにも容易に対応し、効率よく施工可能な床下換気口構造を提供する。【解決手段】既存の換気口金物５０を奥行き方向の取り付け位置を定める位置規制手段として用い、該換気口金物５０に当接するように換気口金物１０を弾性部材２０を介して、開口部４０内に一次固定した後、換気口金物１０の周縁部において固定部材によって二次固定する。【選択図】図１
2008101360.tif 000002
【特許請求の範囲】
【請求項１】
換気口金物が基礎の開口部に取り付けられた床下換気口構造であって、
上記換気口金物が弾性部材を介して開口部に一次固定され、
さらに、換気口金物が屋外側周縁部において固定部材を介して開口部に二次固定されてなることを特徴とする床下換気口構造。
【請求項２】
上記換気口金物の開口部内における奥行き方向の取り付け位置を定める位置規制手段が該開口部内に設けられており、
上記位置規制手段に換気口金物が当接した状態で、該換気口金物が弾性部材を介して開口部に一次固定されている請求項１に記載の床下換気口構造。
【請求項３】
上記位置規制手段が既存の基礎の開口部に取り付けられた既存の換気口金物である請求項２に記載の床下換気口構造。
【請求項４】
上記換気口金物が、上板、下板、両側板からなる枠体を有し、該枠体外面に弾性部材の支持手段を有する請求項１〜３のいずれかに記載の床下換気口構造。
【請求項５】
上記弾性部材の支持手段が、弾性部材の内側端部を挟持する溝部であって、枠体を加工して、及び／または、枠体の外面に別部材を固定して形成されている請求項４に記載の床下換気口構造。
【請求項６】
上記固定部材がシール材である請求項１〜５のいずれかに記載の床下換気口構造。
【発明の詳細な説明】
【技術分野】
【０００１】
本発明は、住宅等建築物の基礎に設けられる床下換気口構造に関する。
【背景技術】
【０００２】
一般に住宅等建築物の布基礎には複数の床下換気口が形成されているが、猫やネズミなどの小動物の侵入を防止するため、該床下換気口には網状部材を有する換気口金物が取り付けられている。従来、係る換気口金物を布基礎と一体化して床下換気口に固定する場合、布基礎施工前に換気口金物を布基礎鉄筋に固定したり、型枠の所定位置にセットしたりする必要があり、その作業が煩雑であった。
【０００３】
特許文献１には、換気口金物の布基礎への取り付けが容易な床下換気口構造として、換気口金物の奥行き方向の取り付け位置を定める段差を予め布基礎に形成しておき、該段差に換気口金物を当接した状態で、止めピンを該換気口金物の表面に当接させながら布基礎の開口部内側面に嵌入することで該換気口金物を布基礎に固定する、換気口金物の後付け構造が開示されている。
【０００４】
【特許文献１】特開２０００−３３６７７９号公報
【発明の開示】
【発明が解決しようとする課題】
【０００５】
既存の住宅の床下換気口に取り付けた換気口金物の網状部材が錆びなどにより破損したり、床下点検のために診断機器貫通用に該網状部材の一部を切断したりした場合、或いは既存の換気口に換気口金物として防虫性能を付加したり、冬季の床冷えを防ぐための開閉機能を付加したい場合、従来は破損箇所などの近傍の基礎を一部はつって新しい換気口金物を設置しなおすといったことを行っていたが、狭い開口部内でこのような補修作業は容易ではなく、費用、時間的にも負担が大きかった。
【０００６】
特許文献１の構造では、換気口金物を後付けしているため、止めピンを抜くだけで換気口金物全体を交換することができ、作業効率が高い。
【０００７】
しかしながら、後付けでない既存の換気口金物を補修する場合には、既存の換気口金物を取り外す作業が必要となるため、作業性が非常に悪い。また、既存の換気口金物を残したまま、屋外側に新たに換気口金物を取り付けようとすると、新たに止めピンを嵌入するための孔を形成しなければならず、やはり作業性が悪い。また、布基礎の開口部には通常１０ｍｍ内外の範囲で施工誤差が生じている場合もあり、換気口金物の外周と開口部内面との間に間隙が生じたりして換気口金物の取り付けが煩雑であるとの問題があった。
【０００８】
本発明の課題は、新築の住宅の床下換気口の施工及び、既存の床下換気口の補修のいずれにも容易に対応し、効率よく施工可能な床下換気口構造を提供することにある。特に、耐用年数の長い既存住宅における床下換気口の補修に有効な床下換気口構造を提供することにある。
【課題を解決するための手段】
【０００９】
本発明は、換気口金物が基礎の開口部に取り付けられた床下換気口構造であって、
上記換気口金物が弾性部材を介して開口部に一次固定され、
さらに、換気口金物が屋外側周縁部において固定部材を介して開口部に二次固定されてなることを特徴とする。
【００１０】
本発明においては、下記の構成を好ましい態様として含む。
上記換気口金物の開口部内における奥行き方向の取り付け位置を定める位置規制手段が該開口部内に設けられており、
上記位置規制手段に換気口金物が当接した状態で、該換気口金物が弾性部材を介して開口部に一次固定されている。
上記位置規制手段が既存の基礎の開口部に取り付けられた既存の換気口金物である。
上記換気口金物が、上板、下板、両側板からなる枠体を有し、該枠体外面に弾性部材の支持手段を有する。
上記弾性部材の支持手段が、弾性部材の内側端部を挟持する溝部であって、枠体を加工して、及び／または、枠体の外面に別部材を固定して形成されている。
上記固定部材がシール材である。
【発明の効果】
【００１１】
本発明においては、換気口金物と基礎の開口部に弾性部材を介することで、換気口金物を基礎の開口部に仮に取り付ける、即ち一次固定できる。また弾性体であるため、換気口金物と開口部内面との間隙を弾性部材が圧縮変形して埋めることができ、さらに、もし、弾性部材と開口部内面との間に多少の間隙が生じても、二次固定のための固定部材で該間隙を塞ぐことができる。固定部材で完全に固定、即ち二次固定することで、換気口金物は所定位置に固定され容易に取り外せなくなる。また、換気口金物を開口部よりも上下左右ともに２０ｍｍ程度小さく形成しておけば、開口部の施工誤差にも対応することができる。また、換気口金物の取り付け作業が乾式であり、ピン止めなどの細かな作業が不要であるため、熟練した技術が不要で作業性が良い。
【００１２】
また、本発明においては、既存の換気口金物が破損した場合には、既存の換気口金物を、新たに取り付ける換気口金物の奥行き方向の所定の取り付け位置を定める位置規制手段として用いればよいため、既存の換気口金物の取り外しが不要である。
【００１３】
よって本発明の床下換気口構造は新規な床下換気口の施工及び既存の床下換気口の補修のいずれにも好ましく適用され、安価に且つ短時間での施工が可能となる。
【発明を実施するための最良の形態】
【００１４】
本発明の床下換気口構造は、換気口金物の寸法を開口部よりも上下左右に２０ｍｍ程度小さく形成し、クッション性のある弾性部材を介して開口部内に仮に一次固定した後、固定部材で完全に二次固定するものである。
【００１５】
図１、図２に本発明の床下換気口構造の一例を示す。図１は、本発明の床下換気口構造の施工前の部分斜視図であり、図２は施工後の垂直方向の断面図である。本例は、既存の換気口金物を取り外さずに用いる場合を示す。
【００１６】
既存の住宅の基礎３０に設けられた床下換気口には、開口部４０に既存の換気口金物５０が取り付けられており、図１に示すように、従来の換気口金物５０は基礎３０の施工時に強固に取り付けられており、取り外しが困難であった。本発明においては、このような既存の換気口金物５０の枠体５１や網状部材５２が錆などにより破損したり、或いは、床下の点検のために網状部材５２を切断して診断機器を通すために部分的に切断したりした場合に、換気口金物５０はそのままにして、新たな換気口金物１０を取り付ける。
【００１７】
本発明に用いられる換気口金物１０の形状は特に限定されないが、好ましくは上板１１、下板１２、上板１１と下板１２とを繋ぐ左右の側板１３とからなる枠体と該枠体の開口部を塞ぐ網状部材１４とを備えている。図１の例では、さらに、枠体の補強と小動物の侵入防止を兼ねて柱状部材１５が側板１３に平行に複数本、等間隔で取り付けられている。
【００１８】
また、換気口金物１０の換気部の構造に開閉機能や防虫網機能を追加してより付加価値を高めることも可能である。
【００１９】
係る換気口金物１０は、外周の寸法が開口部４０よりも上下左右に２０ｍｍ程度小さく形成されており、開口部４０の内面との間隙を弾性部材２０が埋めることになる。従って、弾性部材２０は換気口金物１０と開口部４０の内面との間隙を塞ぎ、且つ、弾性力をもって換気口金物１０を開口部内に固定しうるように、開口部４０の内面と換気口金物１０との間隙よりも広い幅のものを用いる。また、弾性部材２０の素材は適度な弾力を有していれば良く、ゴムなどの素材が好ましく用いられる。
【００２０】
本発明において、換気口金物１０を開口部４０に弾性部材２０を介して一次固定する際に、作業が容易なように、弾性部材２０と換気口金物１０が事前に一体化しておくことが好ましい。例えば、接着剤等によって弾性部材２０を換気口金物１０の枠体の外周に貼り付けても良いが、換気口金物１０に弾性部材２０の支持手段を設けることが好ましい。具体的には、例えば図１，図２に示すように、換気口金物１０の外側に溝部を設け、該溝部に弾性部材２０の内側端部を挟持させる。図１，図２の例では、枠体の幅方向（開口部の奥行き方向）断面がＬ字状になるように一端を折り曲げ、さらに、他端側に断面がＬ字状の部材１６を別途取り付けて溝部を形成している。また、図１，図２の例では、該溝部に両面接着テープ６０を貼付して弾性部材２０を換気口金物１０に一体化している。
【００２１】
本発明においては、換気口金物１０の外周に弾性部材２０を取り付けた状態で、弾性部材２０の外周が開口部４０よりも大きくなる。この状態で、弾性部材２０を圧縮変形して換気口金物１０を開口部４０の内側に一次固定する。この時、換気口金物１０の奥行き方向の取り付け位置は、既存の換気口金物５０によって決定する。即ち、換気口金物１０を換気口金物５０に当接するように開口部４０内に設置すればよい。また、新築の住宅で既存の換気口金物５０が存在しないような場合には、換気口金物１０の奥行き方向の取り付け位置を定める位置規制手段を設けることが好ましいが、係る手段としては、開口部４０に段差を形成しておいて換気口金物４０がそれ以上屋内方向にいけないように構成しておけばよい。また、開口部４０の内面に部分的に突出する突起を設けるなどしても良い。また仮に段差などの位置規制手段がなくても例えば目測で所定位置に一次固定しても良く、その後、二次固定すれば確実に固定状態になることは言うまでもない。
【００２２】
上記のようにして開口部４０内に一次固定された換気口金物１０は、屋外側周縁部において固定部材によって二次固定される。具体的には、例えば図２に示すように、開口部４０の内面と弾性部材２０と換気口金物１０とで形成された凹部を埋めるようにシール材７０を埋め込むことで実施される。
【図面の簡単な説明】
【００２３】
【図１】本発明の床下換気構造の施工前の状態を示す斜視図である。
【図２】本発明の床下換気構造の施工後の状態の垂直断面図である。
【符号の説明】
【００２４】
１０  換気口金物
１１  上板
１２  下板
１３  側板
１４  網状部材
１５  柱状部材
１６  Ｌ字部材
２０  弾性部材
３０  基礎
４０  開口部
５０  既存の換気口金物
５１  枠体
５２  網状部材
６０  両面接着テープ
７０  シール材
【図１】
2008101360.tif 000003
【図２】
2008101360.tif 000004